(57)【要約】【課題】通信網を管理する統合管理オペレーションシステムで収集すべきメッセージに変更があった場合に、簡易、迅速に変更に対応可能なメッセージの収集方法を提供する。【解決手段】通信網を構成する複数のネットワークエレメント１，２は、ＮＥＯＰ８を介して、当該通信網を管理するＴＭＯＰ９に接続される。ＮＥＯＰ８においては、各ネットワークエレメント１，２から送信されるメッセージの種類と、ＴＭＯＰ９への送信をすべきか否かの情報と、対応関係を規定する送信要否判定テーブル２が保持されている。ＮＥＯＰ８は、この判定テーブル２に基づいて、ネットワークエレメント１，２から受信したメッセージをＴＭＯＰ９に転送するか否かを決定する。【選択図】　　　　図１
2004080432.tif 000002
【特許請求の範囲】
【請求項１】
通信網を構成する複数のネットワークエレメントから送信されるメッセージを受信する受信手段と、該通信網を監視する通信網管理オペレーションシステムへ、該受信したメッセージを更に送信する送信手段と、を有するオペレーションシステムであって、
各ネットワークエレメントから送信されるメッセージの種類と、該メッセージを前記通信網管理オペレーションシステムへ送信すべきか否かを示す情報と、の対応関係を規定する判定テーブルと、
前記受信手段によりネットワークエレメントから受信したメッセージの種類を識別する識別手段と、
前記判定テーブルと、前記識別手段により識別されたメッセージの種類と、に基づいて、前記ネットワークエレメントから受信したメッセージを前記通信網管理オペレーションシステムに送信すべきか否かの判定を行う判定手段と、
を有し、前記送信手段は、前記判定手段によって送信すべきと判定された場合に限り、該メッセージを前記通信網管理オペレーションシステムへ更に送信することを特徴とするネットワークエレメントオペレーションシステム。
【請求項２】
前記判定テーブルは、メッセージにユニークに付されているメッセージ番号と、該メッセージを前記通信網管理オペレーションシステムへ送信すべきか否かを示す情報と、の対応関係を規定し、
前記判定手段は、前記受信手段によりネットワークエレメントから受信したメッセージから取得した前記メッセージ番号と、前記判定テーブルと、に基づいて、前記判定を行うことを特徴とする請求項１に記載のネットワークエレメントオペレーションシステム。
【請求項３】
通信網を構成する複数のネットワークエレメントから送信されるメッセージをネットワークエレメントオペレーションシステムにおいて受信する受信ステップと、該ネットワークエレメントオペレーションシステムにおいて受信したメッセージを、該通信網を監視する通信網管理オペレーションシステムへ更に送信する送信ステップと、を有するネットワークエレメントからのメッセージ収集方法であって、
前記受信ステップにおいてネットワークエレメントから受信したメッセージの種類を識別する識別ステップと、
各ネットワークエレメントから送信されるメッセージの種類と、該メッセージを前記通信網管理オペレーションシステムへ送信すべきか否かを示す情報と、の対応関係を予め規定する判定テーブル、及び、前記識別ステップにおいて識別されたメッセージの種類に基づいて、前記ネットワークエレメントから受信したメッセージを前記通信網管理オペレーションシステムに送信すべきか否かの判定を行う判定ステップと、
を有し、前記送信ステップにおいては、前記判定ステップにおいて送信すべきと判定された場合に限り、該メッセージを前記通信網管理オペレーションシステムへ送信することを特徴とするメッセージ収集方法。
【請求項４】
前記判定ステップにおいては、各ネットワークエレメントから送信されるメッセージにユニークに付されるメッセージ番号と、該メッセージを前記通信網管理オペレーションシステムへ送信すべきか否かを示す情報と、の対応関係を予め規定する判定テーブル、及び、前記受信ステップにおいて受信したメッセージから取得した前記メッセージ番号に基づいて、前記ネットワークエレメントから受信したメッセージを前記通信網管理オペレーションシステムに送信すべきか否かの判定を行うことを特徴とする請求項３に記載のメッセージ収集方法。
【請求項５】
前記ネットワークエレメントオペレーションシステムは、前記通信網を構成する複数のネットワークエレメントのうち、各種のネットワークエレメントに応じて設置されることを特徴とする請求項３又は４に記載のメッセージ収集方法。
【発明の詳細な説明】
【０００１】
【発明の属する技術分野】
本発明はネットワークオペレーションシステム、及び、メッセージ収集方法に関し、特にネットワークエレメントから送信されるメッセージをネットワーク管理装置へ中継するネットワークオペレーションシステム、及び、メッセージ収集方法に関する。
【０００２】
【従来の技術】
通信網の通信品質を総合的に管理するためには、交換装置、無線制御装置、伝送装置等の通信網を構成するネットワークエレメントから発生する故障状態等を知らせるメッセージを一元的に収集・管理する統合管理オペレーションシステムが必要になる。
【０００３】
しかし、ネットワークエレメントから送信されるメッセージの全てを統合管理オペレーションシステム（以下、適宜「ＴＭＯＰ」と略記する。）に収集すると、統合管理オペレーションシステムの処理性能が不足する。このため、従来の技術においては、例えば、メッセージに付与されている重要度ランクに着目し、この重要度ランクの高いメッセージのみを統合管理オペレーションシステムで収集していた。
【０００４】
従来技術において、ネットワークエレメントからのメッセージを収集する方式について、図８を用いて説明する。
図８において、ネットワークエレメント１，２は、ネットワークエレメント・オペレーションシステム（以下、適宜「ＮＥＯＰ」と略記する。）８を介して、ＴＭＯＰ９に接続される。
【０００５】
ＮＥＯＰ８は、ネットワークエレメント１，２から送信されてくるメッセージを受信し、所定のメッセージについてＴＭＯＰ９に転送するためのオペレーションシステムである。このＮＥＯＰ８は、通信網において単一に設けられるものではなく、複数設けられることもある。例えば、メッセージを受信するネットワークエレメントの種類に応じて、あるいは、管轄するネットワークエレメントが所定数以下となるような数だけ設けられる。
【０００６】
ＴＭＯＰ９は、ＮＥＯＰ８からのメッセージを収集・管理し、通信網の品質を総合的に監視するオペレーションシステムである。
ネットワークエレメント２において故障が発生した場合、故障の発生を外部に通知するために、ネットワークエレメント２よりメッセージ４がＮＥＯＰ８に送信される。メッセージ４には、メッセージの種類を示すための「メッセージ番号」、当該メッセージを発生させる要因となった故障が通信網の品質に与える影響の大きさを示す「重要度ランク」、故障解析に必要な情報を集めた「メッセージ内容」等の情報が含まれている。もし、ＮＥＯＰ８が、受け取ったすべてのメッセージをＴＭＯＰ９に送信すると、ＴＭＯＰ９の処理性能が不足する。このため、ＮＥＯＰ８は、例えば、一番重要度の高いメッセージのみをＴＭＯＰ９に送信する。メッセージの重要度は、そのメッセージに付与されている「重要度ランク」を元に識別し、該当するメッセージのみをＴＭＯＰ９に送信する。
【０００７】
【発明が解決しようとする課題】
上述のように、従来技術によるメッセージ収集方法は、メッセージに付与された重要度ランクに着目することにより、統合管理オペレーションシステムで収集するメッセージ数を制限している。しかし、この重要度ランクは、各ネットワークエレメントにおいて個別に判断され、設定される。このことから、例えば、統合管理オペレーションシステムで不要であったメッセージが必要となった場合、あるいは逆に必要としていたメッセージが結局不要となった場合などには、ネットワークエレメントのソフトウェアについて修正が必要になることがある。その結果、迅速な修正が困難であったり、修正のための費用が大きくなったりする等の問題があった。
【０００８】
本発明の目的は、統合管理オペレーションシステムで収集すべきメッセージに変更があった場合に、ネットワークエレメント・オペレーションシステムで管理している送信要否テーブル情報を変更することのみで対応できるネットワークオペレーションシステム、及び、メッセージ収集方法を提供することにある。
【０００９】
【課題を解決するための手段】
本発明の請求項１によるネットワークエレメントオペレーションシステムは、通信網を構成する複数のネットワークエレメントから送信されるメッセージを受信する受信手段と、該通信網を監視する通信網管理オペレーションシステムへ、該受信したメッセージを更に送信する送信手段と、を有するオペレーションシステムであって、
各ネットワークエレメントから送信されるメッセージの種類と、該メッセージを前記通信網管理オペレーションシステムへ送信すべきか否かを示す情報と、の対応関係を規定する判定テーブルと、
前記受信手段によりネットワークエレメントから受信したメッセージの種類を識別する識別手段と、
前記判定テーブルと、前記識別手段により識別されたメッセージの種類と、に基づいて、前記ネットワークエレメントから受信したメッセージを前記通信網管理オペレーションシステムに送信すべきか否かの判定を行う判定手段と、
を有し、前記送信手段は、前記判定手段によって送信すべきと判定された場合に限り、該メッセージを前記通信網管理オペレーションシステムへ更に送信することを特徴とする。
【００１０】
ここで、メッセージの種類とは、メッセージがどのような情報を伝達するものであるかによって、分類されるものである。ネットワークエレメントから送信されるメッセージの種類としては、例えば、当該ネットワークエレメントやその周辺装置等における故障の発生を知らせるためのメッセージや、定期的にトラヒック情報等を伝達するためのメッセージ等がある。故障の発生を知らせるためのメッセージでも、更に細かく伝達する内容によって、メッセージの種類を分けることもできる。
【００１１】
また、通信網管理オペレーションシステムは、本請求項に定義する機能、すなわち、通信網を監視する機能を有する端末、機器、装置、あるいは、それら複数の端末等によって構成されるシステムをいう。以下、請求項２〜５項において記載される通信網管理オペレーションシステムについても同様である。
また、ネットワークエレメントオペレーションシステムについても同様に、請求項１〜５のいずれか１項に記載する機能を有する端末、機器、装置、あるいは、それら複数の端末等によって構成されるシステムをいう。
【００１２】
本発明の請求項２によるネットワークエレメントオペレーションシステムは、請求項１において、前記判定テーブルは、メッセージにユニークに付されているメッセージ番号と、該メッセージを前記通信網管理オペレーションシステムへ送信すべきか否かを示す情報と、の対応関係を規定し、
前記判定手段は、前記受信手段によりネットワークエレメントから受信したメッセージから取得した前記メッセージ番号と、前記判定テーブルと、に基づいて、前記判定を行うことを特徴とする。
【００１３】
本発明の請求項３によるメッセージ収集方法は、通信網を構成する複数のネットワークエレメントから送信されるメッセージをネットワークエレメントオペレーションシステムにおいて受信する受信ステップと、該ネットワークエレメントオペレーションシステムにおいて受信したメッセージを、該通信網を監視する通信網管理オペレーションシステムへ更に送信する送信ステップと、を有するネットワークエレメントからのメッセージ収集方法であって、
前記受信ステップにおいてネットワークエレメントから受信したメッセージの種類を識別する識別ステップと、
各ネットワークエレメントから送信されるメッセージの種類と、該メッセージを前記通信網管理オペレーションシステムへ送信すべきか否かを示す情報と、の対応関係を予め規定する判定テーブル、及び、前記識別ステップにおいて識別されたメッセージの種類に基づいて、前記ネットワークエレメントから受信したメッセージを前記通信網管理オペレーションシステムに送信すべきか否かの判定を行う判定ステップと、
を有し、前記送信ステップにおいては、前記判定ステップにおいて送信すべきと判定された場合に限り、該メッセージを前記通信網管理オペレーションシステムへ送信することを特徴とする。
【００１４】
本発明の請求項４によるメッセージ収集方法は、請求項３において、前記判定ステップにおいては、各ネットワークエレメントから送信されるメッセージにユニークに付されるメッセージ番号と、該メッセージを前記通信網管理オペレーションシステムへ送信すべきか否かを示す情報と、の対応関係を予め規定する判定テーブル、及び、前記受信ステップにおいて受信したメッセージから取得した前記メッセージ番号に基づいて、前記ネットワークエレメントから受信したメッセージを前記通信網管理オペレーションシステムに送信すべきか否かの判定を行うことを特徴とする。
【００１５】
本発明の請求項５によるメッセージ収集方法は、請求項３又は４において、前記ネットワークエレメントオペレーションシステムは、前記通信網を構成する複数のネットワークエレメントのうち、各種のネットワークエレメントに応じて設置されることを特徴とする。
【００１６】
【発明の実施の形態】
次に、図面を参照して本発明の実施の形態について説明する。なお、以下の説明において参照する各図においては、他の図と同等の部分が同一符号によって示されている。
図１は、本実施の形態にかかるメッセージ収集方法の概略を説明するための図である。同図に示されるように、ネットワークエレメント１，２は、ネットワークエレメント・オペレーションシステム８を介して統合管理オペレーションシステム９に接続されている。
【００１７】
ＴＭＯＰ９は、上述のように、ＮＥＯＰ８を介してネットワークエレメントからのメッセージを収集・管理し、通信網の品質を総合的に監視するオペレーションシステムである。
ＮＥＯＰ８は、ネットワークエレメント１，２から受信したメッセージを、ＴＭＯＰ９へと転送するオペレーションシステムである。図２には、本実施の形態におけるＮＥＯＰ８の構成を示すブロック図が示されている。同図に示されるように、ＮＥＯＰ８は、受信部８ａと、識別部８ｂと、判定部８ｃと、データ保持部８ｄと、送信部８ｅと、を含んで構成されている。
【００１８】
受信部８ａは、ネットワークエレメントから送信されるメッセージを受信する機能を有する。
識別部８ｂは、受信部８ａによりネットワークエレメントから受信したメッセージの種類を識別する。本実施の形態においては、受信部８ａにより受信したメッセージから、「メッセージ番号」についての情報を取り出す。
【００１９】
本実施の形態におけるメッセージは、上述と同様に、「メッセージ番号」、「重要度ランク」、「メッセージ内容」等の情報を含んで構成される。「メッセージ番号」は、メッセージがどのような情報を伝達するものであるか、すなわち、メッセージの種類を示すものである。本実施の形態においては、「メッセージ番号」により、例えば、そのメッセージが故障を知らせるメッセージであること、更に、故障が発生したネットワークエレメントの種類や故障箇所等の大まかな故障内容についても特定可能となっている。この「メッセージ番号」は、メッセージを送信するネットワークエレメントにおいて、その故障内容等に応じ、予め定められた対応に従って付される。
【００２０】
データ保持部８ｄは、各ネットワークエレメントから送信されるメッセージの種類と、当該メッセージをＴＭＯＰへ送信すべきか否かを示す情報と、の対応関係を規定する送信要否判定テーブルを、判定部８ｃによって参照可能に保持する。本実施の形態においては、図１に示されるように、メッセージの種類についての情報として、識別部８ｂにより取り出した「メッセージ番号」を用いる。また、当該メッセージをＴＭＯＰへ送信すべきか否かを示す情報として、送信すべき時は「要」、送信不要時は「不要」の値をとる「要否フラグ」を用いる。
【００２１】
判定部８ｃは、データ保持部８ｄに保持される送信要否判定テーブル、及び、識別部８ｂにより取り出した「メッセージ番号」に基づいて、受信したメッセージをＴＭＯＰに更に送信すべきか否かの判定を行う。
上述の各部により実現される機能は、演算機能を有するＣＰＵと、ＣＰＵにおいて実行するプログラムを記憶するＲＯＭと、を含むコンピュータによって、以下のようなプログラムを実行させることにより実現することもできる。すなわち、通信網を構成する複数のネットワークエレメントから送信されるメッセージを受信する受信ステップと、該通信網を監視する通信網管理オペレーションシステムへ、該受信したメッセージを更に送信する送信ステップと、を有するオペレーションシステムにおいて実現される処理をコンピュータに実行させるためのプログラムであって、上記受信ステップにおいてネットワークエレメントから受信したメッセージの種類を識別する識別ステップと、各ネットワークエレメントから送信されるメッセージの種類と、該メッセージを上記通信網管理オペレーションシステムへ送信すべきか否かを示す情報と、の対応関係を予め規定する判定テーブル、及び、上記識別ステップにおいて識別されたメッセージの種類に基づいて、上記ネットワークエレメントから受信したメッセージを上記通信網管理オペレーションシステムに送信すべきか否かの判定を行う判定ステップと、を有し、上記送信ステップにおいては、上記判定ステップにおいて送信すべきと判定された場合に限り、該メッセージを上記通信網管理オペレーションシステムへ送信する。
【００２２】
更に、上記判定ステップにおいては、各ネットワークエレメントから送信されるメッセージにユニークに付されるメッセージ番号と、該メッセージを上記通信網管理オペレーションシステムへ送信すべきか否かを示す情報と、の対応関係を予め規定する判定テーブル、及び、上記受信ステップにおいて受信したメッセージから取得した上記メッセージ番号に基づいて、上記ネットワークエレメントから受信したメッセージを上記通信網管理オペレーションシステムに送信すべきか否かの判定を行うことが望ましい。
【００２３】
図３には、本発明にかかるメッセージ収集方法を移動通信網に適用する様子が示されている。
同図に示されるように、移動通信網には、交換装置等の交換系ネットワークエレメント１１，１２、無線制御装置等の無線系ネットワークエレメント２１，２２、及び、伝送装置等の伝送系ネットワークエレメント３１，３２の３種類のネットワークエレメントが存在する。
【００２４】
このため、これらのネットワークエレメントからのメッセージを受信し、当該メッセージを管理するために、交換系ネットワークエレメント１１，１２に接続される交換系オペレーションシステム８１と、無線系ネットワークエレメント２１，２２に接続される無線系オペレーションシステム８２と、伝送系ネットワークエレメント３１，３２に接続される伝送系オペレーションシステム８３と、が設けられている。このように、ネットワークエレメントの種類によって、ネットワークエレメント・オペレーションシステムを分けて設置することにより、１つのネットワークエレメント・オペレーションシステムにメッセージが集中し、処理負荷がかかることを防いでいる。
【００２５】
また、これら３種類のネットワークエレメント・オペレーションシステム８１，８２，８３は、１つのＴＭＯＰ９に接続されて、それぞれが受信したメッセージをＴＭＯＰ９に送信する。これにより、ＴＭＯＰ９においては、移動通信網の全てのネットワークエレメントから送信される重要なメッセージを受信し、移動通信網を総合的に監視可能になっている。
【００２６】
図４（Ａ）及び（Ｂ）には、交換系ネットワークエレメント１１及び１２から送信されるメッセージ４１及び４２の情報の構成例が、同図（Ｃ）には、交換系オペレーションシステム８１における判定に使用される送信要否判定テーブルの構成例が示されている。同様に、図５には、無線系ネットワークエレメント２１，２２から送信されるメッセージ４３，４４の情報、及び、送信要否判定テーブルの構成例が、図６には、伝送系ネットワークエレメント３１，３２から送信されるメッセージ４５，４６の情報、及び、送信要否判定テーブルの構成例示されている。また、図７は、本実施の形態にかかるネットワークエレメントからのメッセージ収集方法をあらわすフローチャートである。以下、図４〜図７を参照しながら、図３に示される移動通信網におけるネットワークエレメントからのメッセージの収集について説明する。
【００２７】
交換系ネットワークエレメント１１から送信されたメッセージ４１は、交換系オペレーションシステム８１が受信する（図７のステップＳ００１）。交換系オペレーションシステム８１は、受信したメッセージ４１に設定されているメッセージ番号を読み取る（図７のステップＳ００２）。図４（Ａ）を参照すれば、メッセージ４１の「メッセージ番号」は「００１」である。更に、送信要否テーブル５１からその番号と一致するメッセージ番号の要否フラグの値を参照し、送信の要否を判定する（図７のステップＳ００３）。図４（Ｃ）を参照すれば、フラグの値は「要」であるため、ＴＭＯＰ９へメッセージ送信必要と判定されて、メッセージ４１は、交換系オペレーションシステム８１からＴＭＯＰ９へ送信される（図７ステップＳ００４）。メッセージ４２についても、同様の判定が行われる。この場合には、「メッセージ番号」が「００３」であるため（図４（Ｂ）参照）、フラグの値は「要」（図４（Ｃ）参照）である。ゆえに、メッセージ４２はメッセージ送信必要と判定され、交換系オペレーションシステム８１からＴＭＯＰ９に送信される。
【００２８】
無線系ネットワークエレメント２１から送信されたメッセージ４３は、無線系オペレーションシステム８２が受信する（図７のステップＳ００１）。無線系オペレーションシステム８２は、受信したメッセージ４３に設定されているメッセージ番号を読み取る（図７のステップＳ００２）。図５（Ａ）を参照すれば、メッセージ４１の「メッセージ番号」は「１０２」である。更に、送信要否テーブル５２からその番号と一致するメッセージ番号の要否フラグの値を参照し、送信の要否を判定する（図７のステップＳ００３）。図５（Ｃ）を参照すれば、フラグの値は「不要」であるため、ＴＭＯＰ９へメッセージ送信不要であると判定し、メッセージ４３はＴＭＯＰ９に転送されない。メッセージ４４についても、同様の判定が行われる。この場合には、「メッセージ番号」が「１０５」であるため（図５（Ｂ）参照）、フラグの値は「不要」（図５（Ｃ）参照）である。ゆえに、メッセージ４４はＴＭＯＰ９に転送されない。
【００２９】
伝送系ネットワークエレメント３１から送信されたメッセージ４５は、伝送系オペレーションシステム８３が受信する（図７のステップＳ００１）。伝送系オペレーションシステム８３は、受信したメッセージ４５に設定されているメッセージ番号を読み取る（図７のステップＳ００２）。図６（Ａ）を参照すれば、メッセージ４５の「メッセージ番号」は「２０１」である。更に、送信要否テーブル５３からその番号と一致するメッセージ番号の要否フラグの値を参照し、送信の要否を判定する（図７のステップＳ００３）。図６（Ｃ）を参照すれば、フラグの値は「要」であるため、ＴＭＯＰ９へメッセージ送信必要と判定されて、メッセージ４５は伝送系オペレーションシステム８３からＴＭＯＰ９に送信される（図７ステップＳ００４）。メッセージ４６についても、同様の判定を行う。この場合には、「メッセージ番号」が「２０２」であるため（図６（Ｂ）参照）、フラグの値は「不要」（図６（Ｃ）参照）である。ゆえに、メッセージ４６はＴＭＯＰ９に転送されない。
【００３０】
この結果、図３の移動通信網においては、ＴＭＯＰ９は、最終的にネットワークエレメントからメッセージ４１，４２、及び、４５を収集する。
ＴＭＯＰ９が、例えばその監視業務に応じて、収集するメッセージを変更するときは、ネットワークエレメント・オペレーションシステムに保持される送信要否判定テーブルの対応する部分を変更する。
【００３１】
【発明の効果】
以上詳細に説明したように、本発明にかかる請求項１に記載のネットワークエレメントオペレーションシステム、及び、請求項３に記載のメッセージ収集方法によれば、判定テーブルを用いることによって、ＮＥＯＰにおいて、通信網を構成する複数のネットワークエレメントのそれぞれから送信される各種のメッセージを通信網管理オペレーションシステムへ送信するか否かを、判断することができる。このように、ＮＥＯＰによって一元的に判断できるため、通信網管理オペレーションシステムにおいて必要なメッセージ等が変更された場合などにも、個々のネットワークエレメントのソフトウェアに修正を加えることなく、ＮＥＯＰの送信要否判定テーブルを変更するだけで迅速に修正に対応することができる。
【００３２】
本発明にかかる請求項２に記載のネットワークエレメントオペレーションシステム、及び、請求項４に記載のメッセージ収集方法によれば、メッセージの種類を識別するための情報として「メッセージ番号」を用いることにより、メッセージの内容を個別に調べることなく、容易にメッセージの種類を特定することができる。また、細かくメッセージの種類が特定されるので、通信網管理オペレーションシステムの要求に応じた送信の要否の判定を行うことができる。
【００３３】
本発明にかかる請求項５に記載のメッセージ収集方法によれば、各ネットワークエレメントの種類に応じて、ネットワークエレメントオペレーションシステムが設置される、すなわち、１のネットワークエレメントオペレーションシステムにおいては同種のネットワークエレメントからのメッセージのみを受信する。このため、判定テーブルの変更等を同種のネットワークエレメント単位で行うことができ、管理が容易になる。
【図面の簡単な説明】
【図１】本実施の形態にかかるメッセージ収集方法の概略を説明するための図である。
【図２】本実施の形態におけるネットワークエレメント・オペレーションシステムの構成を示すブロック図である。
【図３】本発明にかかるメッセージ収集方法を移動通信網に適用する様子を示す図である。
【図４】（Ａ）及び（Ｂ）は、交換系ネットワークエレメントから送信されるメッセージの情報の構成例を示す図、（Ｃ）は、交換系オペレーションシステムが保持する送信要否判定テーブルの構成例を示す図である。
【図５】（Ａ）及び（Ｂ）は、無線系ネットワークエレメントから送信されるメッセージの情報の構成例を示す図、（Ｃ）は、無線系オペレーションシステムが保持する送信要否判定テーブルの構成例を示す図である。
【図６】（Ａ）及び（Ｂ）は、伝送系ネットワークエレメントから送信されるメッセージの情報の構成例を示す図、（Ｃ）は、伝送系オペレーションシステムが保持する送信要否判定テーブルの構成例を示す図である。
【図７】本実施の形態にかかるネットワークエレメントからのメッセージ収集方法をあらわすフローチャートである。
【図８】従来のネットワークエレメントからのメッセージ収集方法を説明するための図である。
【符号の説明】
１，２　　　　　　　　ネットワークエレメント
１１，１２　　　　交換系ネットワークエレメント
２１，２２　　　　無線系ネットワークエレメント
３１，３２　　　　伝送系ネットワークエレメント
４　　　　　　　　　　　　メッセージ
４１〜４６　　　　メッセージ
５１〜５３　　　　送信要否テーブル
８　　　　　　　　　　　　ネットワークエレメント・オペレーションシステム
８ａ　　　　　　　　　　受信部
８ｂ　　　　　　　　　　故障特定部
８ｅ　　　　　　　　　　送信部
８ｃ　　　　　　　　　　判定部
８ｄ　　　　　　　　　　データ保持部
８１　　　　　　　　　　交換系オペレーションシステム
８２　　　　　　　　　　無線系オペレーションシステム
８３　　　　　　　　　　伝送系オペレーションシステム
【図１】
2004080432.tif 000003
【図２】
2004080432.tif 000004
【図３】
2004080432.tif 000005
【図４】
2004080432.tif 000006
【図５】
2004080432.tif 000007
【図６】
2004080432.tif 000008
【図７】
2004080432.tif 000009
【図８】
2004080432.tif 000010